(57)【要約】      （修正有）【課題】ファンの遠心方向のうち所定方向のうち少なくとも一方には排出孔が形成されていない構成の遠心式送風機において、排出孔に至る風の風速および風量のばらつきを低減する。【解決手段】遠心式送風機１００を、基本拡張空間における回転軸方向に沿った一方壁部から他方壁部までの幅Ｗ１が、基本流入空間中の内側空間における回転軸方向に沿った一方壁部から他方壁部までの幅Ｗ２よりも広くなる、構成とする。この内側空間は、基本流入空間中で凹部２ｈの内部空間Ｓ１よりも回転軸の側に位置する空間である。【選択図】図３
2018040340.tif 000002
【特許請求の範囲】
【請求項１】
回転することで、回転軸（Ｐ）を中心とする遠心方向（ＣＤ）に流れる風を発生させるファン（１）と、
前記ファンを囲みつつ収容するファンケース（２）と、を備え、
前記ファンケースは、前記ファンを基準として前記回転軸の方向における一方側に位置する一方壁部（２ａ）と、前記ファンを基準として前記回転軸の方向における他方側に位置する他方壁部（２ｂ）と、前記遠心方向における前記ファンの外側の領域に位置する側壁部（２ｃ）と、を有し、
前記一方壁部、前記他方壁部、および前記側壁部は、前記ファンを囲むように前記ファンを収容し、
前記一方壁部、前記他方壁部、および前記側壁部によって囲まれた空間は、前記風を通すための空間である通風空間（Ｓ）を形成し、
前記ファンケースには、外部の空気を前記通風空間に導入するための導入孔（Ｓ１０）、および、前記通風空間を通った風を外部に排出するための基本排出孔（Ｓ１１）が形成され、
前記通風空間中のうち、前記基本排出孔に対して前記回転軸を中心として前記ファンの逆回転側にずれた基本流入空間において、前記ファンから出た後かつ前記基本排出孔に流入する前の風が通り、
前記基本流入空間中の所定の基本拡張空間における前記回転軸の方向に沿った前記一方壁部から前記他方壁部までの第１幅（Ｗ１）が、前記基本流入空間中で前記基本拡張空間よりも前記回転軸の側に位置する内側空間における前記回転軸の方向に沿った前記一方壁部から前記他方壁部までの第２幅（Ｗ２）よりも広い、遠心式送風機。
【請求項２】
前記回転軸に直交しながら前記回転軸から前記基本拡張空間の風流れ上流端に向かう第１向き（ＣＤ１）と、前記回転軸に直交しながら前記回転軸から前記基本排出孔に向かう第２向き（ＣＤ２）とが、直交し、
前記基本拡張空間は、少なくとも、前記第１向きに延びる所定直線上の点（ＰＴ１）から、前記所定直線に平行で前記第２向きにおける前記ファンの最端点（ＰＴ４）を通る直線（ＳＬ１）上の点（ＰＴ２、ＰＴ３）まで延びるように、連続的に形成されている請求項１に記載の遠心式送風機。
【請求項３】
前記基本拡張空間における所定の上流部分は、前記側壁部に接し、前記基本拡張空間における前記上流部分よりも風流れ下流側の下流部分は、前記側壁部から離れている請求項１または２に記載の遠心式送風機。
【請求項４】
前記導入孔は前記一方壁部に形成され、前記基本排出孔は前記他方壁部に形成されている請求項１ないし３のいずれか１つに記載の遠心式送風機。
【請求項５】
前記第１幅が前記第２幅の１．５倍以上である請求項１ないし４のいずれか１つに記載の遠心式送風機。
【請求項６】
前記回転軸に直交しながら前記回転軸から前記基本排出孔に向かう基本所定向き（ＣＤ２）における前記回転軸から前記側壁部までの距離は、前記回転軸に直交しながら前記基本所定向きに対して前記回転軸を中心として前記ファンの逆回転側に９０°ずれた向き（ＣＤ１）における前記回転軸から前記側壁部までの距離よりも、短い請求項１ないし５のいずれか１つに記載の遠心式送風機。
【請求項７】
前記ファンケースには、前記通風空間を通った風を外部に排出するための追加排出孔（Ｓ１２）が形成され、
前記通風空間中のうち、前記追加排出孔に対して前記回転軸を中心として前記ファンの逆回転側にずれた追加流入空間において、前記ファンから出た後かつ前記追加排出孔に流入する前の風が通り、
前記追加流入空間中の所定の追加拡張空間における前記回転軸の方向に沿った前記一方壁部から前記他方壁部までの第３幅（Ｗ３）が、前記追加流入空間中で前記追加拡張空間よりも前記回転軸の側に位置する内側空間における前記回転軸の方向に沿った前記一方壁部から前記他方壁部までの第４幅（Ｗ２）よりも広い、遠心式送風機。
【請求項８】
前記回転軸に直交しながら前記回転軸から前記追加拡張空間の風流れ上流端に向かう第３向き（ＣＤ３）と、前記回転軸に直交しながら前記回転軸から前記追加排出孔に向かう第４向き（ＣＤ４）とが、直交し、
前記基本拡張空間は、少なくとも、前記第３向きに延びる所定直線上の点（ＰＴ５）から、前記所定直線に平行で前記第４向きにおける前記ファンの最端点（ＰＴ８）を通る直線（ＳＬ２）上の点（ＰＴ６、ＰＴ７）まで延びるように、連続的に形成されている請求項７に記載の遠心式送風機。
【請求項９】
前記追加拡張空間における所定の上流部分は、前記側壁部に接し、前記追加拡張空間における前記上流部分よりも風流れ下流側の下流部分は、前記側壁部から離れている請求項７または８に記載の遠心式送風機。
【請求項１０】
前記導入孔は前記一方壁部に形成され、前記追加排出孔は前記他方壁部に形成されている請求項７ないし９のいずれか１つに記載の遠心式送風機。
【請求項１１】
前記第３幅が前記第４幅の１．５倍以上である請求項７ないし１０のいずれか１つに記載の遠心式送風機。
【請求項１２】
前記回転軸に直交しながら前記回転軸から前記追加排出孔に向かう追加所定向き（ＣＤ４）における前記回転軸から前記側壁部までの距離は、前記回転軸に直交しながら前記追加所定向きに対して前記回転軸を中心として前記ファンの逆回転側に９０°ずれた向き（ＣＤ３）における前記回転軸から前記側壁部までの距離よりも、短い請求項７ないし１１のいずれか１つに記載の遠心式送風機。
【発明の詳細な説明】
【技術分野】
【０００１】
本発明は、遠心式送風機に関する。
【背景技術】
【０００２】
従来、遠心式送風機が用いられている。例えば車両用の送風機として、高風圧時でも騒音が比較的少ない等の理由から、遠心式送風機が広く用いられている。
【０００３】
車両用の遠心式送風機としては、特許文献１に記載のものが提案されている。この遠心式送風機は、回転する円形のファンと、ファンを囲みつつ収容する壁部を有するファンケースとを備えている。ファンは、回転することで、回転軸を中心とする遠心方向に流れる風を発生させる。壁部は、ファンの一方側に位置する一方壁部と、ファンの他方側に位置する他方壁部と、一方壁部および他方壁部の各々に繋がっている側壁部とを有する。これら一方壁部、他方壁部、および側壁部に囲まれた内部空間によって通風空間が形成されている。
【０００４】
側壁部は、回転軸を中心とする遠心方向におけるファンの外側の領域に位置し、側壁部の壁面がファンの円形に対して同心円上に配置されるように、形成されている。この遠心方向は、ファンの回転軸に直交する直線の方向である。以下、この方向をファンの遠心方向という。
【０００５】
また、壁部は、ファンケースの外部の空気を通風空間に導入するための導入口、および、通風空間を通った風をファンケースの外部に排出するための排出口を有している。導入口は一方壁部に形成され、排出口は他方壁部に形成されている。排出口は、ファンの遠心方向におけるファンと側壁面との間において、ファンの回転方向の全周に亘って、配置されている。そして、この遠心式送風機では、ファンの遠心方向に吹き出された風が、ファンケースの側壁面に当てられてファンの回転軸方向に向きを変えつつ、ファンの回転軸方向に流れる風として、排出口を介して被送風対象（例えば、乗員）へ提供される。
【０００６】
上記したように、この特許文献１に記載の遠心式送風機では特に、側壁部の壁面がファンの円形に対して同心円上に配置され、側壁部はファンの回転方向の全周に亘って配置されている。これにより、この遠心式送風機では、ファンの遠心方向に吹き出され通風空間を通って排出口に至る風の風速が、ファンの回転方向の全周の範囲において均一となる。このため、この遠心式送風機では、被送風対象に対し、風速および風量が空間的に均一な風が提供される。
【先行技術文献】
【特許文献】
【０００７】
【特許文献１】特開平１０−２９２９２５号公報
【発明の概要】
【発明が解決しようとする課題】
【０００８】
上記のような遠心式送風機では、小型化が要求されている。特に、ファンはファンの遠心方向における体格がある程度大きくならざるを得ないため、可能な限りファンケースの体格が当該遠心方向に大きくならないようにすることが、望ましい。つまり、ファンケースについて、ファンの遠心方向における小型化が要求されている。
【０００９】
しかしながら、外部へ供給する風の風量を大きくするために、排出孔の幅はある程度広く設定される必要がある。このため、上記のような遠心式送風機では、幅の広い排出孔が形成されるためにファンと側壁部との間の広く設定される必要があり、これにより、ファンの遠心方向における体格が大きくなることが、問題となる。
【００１０】
そこで、本願発明者は、ファンの遠心方向のうち所定方向における体格を小さくした構成の遠心式送風機について検討を行った。具体的には、まず、ファンを基準として該所定方向における一方側と他方側は排出孔が形成されずにファンと側壁部の幅を狭くされ、ファンを基準としてファンの遠心方向であって該所定方向に直交する直線の方向の一部のみに排出孔が形成される構成の遠心式送風機について検討を行った。
【００１１】
このような構成の遠心式送風機によれば、ファンの回転軸から見て排出孔が無い部分におけるファンと側壁部との間の距離を、ファンの回転軸から見て排出孔がある部分おけるファンと側壁部との間の距離をよりも短くすることにより、ファンケースを小型化できる。
【００１２】
しかしながら、検討の結果、この構成とした場合には特許文献１の遠心式送風機のように均一な風速の風も均一な風量の風も提供することは困難であることが明らかとなった。すなわち、この構成の場合、ファンの遠心方向に吹き出され通風空間を通って排出孔に至る風の風速および風量が、ファンの回転方向において不均一となった。
【００１３】
本発明は上記点に鑑みて、ファンの遠心方向のうち所定方向のうち少なくとも一方には排出孔が形成されていない構成の遠心式送風機において、排出孔に至る風の風速および風量のばらつきを低減することを目的とする。
【課題を解決するための手段】
【００１４】
上記目的を達成するため、請求項１に記載の発明では、遠心式送風機（１００）において、基本拡張空間における回転軸方向（ＰＤ）に沿った一方壁部（２ａ）から他方壁部（２ｂ）までの幅（Ｗ１）が、基本流入空間中の内側空間における回転軸方向（ＰＤ）に沿った一方壁部（２ａ）から他方壁部（２ｂ）までの幅（Ｗ２）よりも広くなっている。この内側空間は、基本流入空間中で凹部（２ｈ）の内部空間（Ｓ１）よりも回転軸（Ｐ）の側に位置する空間である。
【００１５】
このため、この遠心式送風機によれば、ファンの遠心方向である所定方向の側に排出口を設けない構成においても、風速および風量のばらつきを抑えることができる。つまり、この遠心式送風機によれば、該所定方向における体格を小さくしても、風速および風量のばらつきを抑えることができる。
【００１６】
なお、この欄および特許請求の範囲で記載した各部の括弧内の符号は、後述する実施形態に記載の具体的手段との対応関係を示すものである。
【図面の簡単な説明】
【００１７】
【図１】本開示の第１実施形態に係る遠心式送風機の断面構成を示す図である。
【図２】図１に示す遠心式送風機の図１におけるII-II断面を示す図である。
【図３】図１に示す遠心式送風機の図１におけるIII-III断面を示す図である。
【図４】図１に示す遠心式送風機の図１におけるIV-IV断面を示す図である。
【図５】図１に示す遠心式送風機の図１におけるV-V断面を示す図である。
【図６】図１に示す遠心式送風機の通風空間を流れる風の流れを模式的に示す図である。
【図７】本開示の第２実施形態に係る遠心式送風機の断面構成を示す図である。
【図８】図７に示す遠心式送風機の図７におけるVIII-VIII断面を示す図である。
【図９】図７に示す遠心式送風機の図７におけるIX-IX断面を示す図である。
【図１０】図７に示す遠心式送風機の図７におけるX-X断面を示す図である。
【図１１】図７に示す遠心式送風機の通風空間を流れる風の流れを模式的に示す図である。
【図１２】本開示の他の実施形態に係る遠心式送風機についての第１実施形態における図４に対応する図である。
【図１３】本開示の別の他の実施形態に係る遠心式送風機についての第１実施形態における図４に対応する図である。
【図１４】本開示の別の他の実施形態に係る遠心式送風機についての第１実施形態における図４に対応する図である。
【図１５】本開示の別の他の実施形態に係る遠心式送風機についての第１実施形態における図４に対応する図である。
【図１６】本開示の別の他の実施形態に係る遠心式送風機についての第１実施形態における図４に対応する図である。
【発明を実施するための形態】
【００１８】
以下、本開示の実施形態について図に基づいて説明する。なお、以下の各実施形態相互において、互いに同一もしくは均等である部分には、同一符号を付して説明を行う。
【００１９】
（第１実施形態）
本開示の第１実施形態に係る遠心式送風機１００について図１〜図６を参照して説明する。なお、図１は、図２におけるＩ−Ｉ断面を示している。また、図１、図６において、符号２０が付された破線は、拡張部２０の外縁を示している。また、図１、図６において、符号２２が付された破線は、拡張部２２の外縁を示している。また、図６において、符号無しの実線で示されている矢印は、流れる風の向きを示している。
【００２０】
本実施形態に係る遠心式送風機１００は、導入された空気を車室内へ送風する送風機であり、例えば車室内の前方側に配置されたダッシュボードの内部に搭載される空調装置の一部（すなわち、送風部）として用いられる。図２に示すように、本実施形態に係る遠心式送風機１００は、ファン１と、ファン１を収容するファンケース２と、ファン１を回転駆動する電動モータ３とを有する。この遠心式送風機１００では、不図示の操作パネルで設定された風量に応じた通電量が電動モータ３へ給電され、該通電量に応じた回転数でファン１が回転する。
【００２１】
なお、以下において、ファン１の回転軸（すなわち、後述の電動モータ３の回転軸３ａの方向に延びる仮想直線）を回転軸Ｐと称し、回転軸Ｐの方向（すなわち、電動モータ３の回転軸３ａの延びる方向）を回転軸方向ＰＤと称する。
【００２２】
図１、図２に示すように、ファン１は、回転することで、回転軸Ｐを中心とする遠心方向ＣＤに流れる風を発生させる遠心多翼ファンである。ファン１は、電動モータ３の回転軸３ａに固定され、回転軸３ａの回転に伴って回転する。ファン１は、その材料が特に限定されるものではないが、ここでは樹脂で構成されている。図１に示すように、ファン１は、電動モータ３の回転軸３ａの周りに配置された複数枚の翼１ａを有している。各翼１ａは、その軸方向一端側（空気吸込側）が図２に示す側板１ｂを介して互いに連結されるとともに、その軸方向他端側が不図示の主板を介して回転軸３ａに連結されている。図１に示すように、ファン１は、その外縁が略円形状となるように構成され、ファンケース２の略中央に配置されている。
【００２３】
図１、図２に示すように、ファンケース２は、ファン１を囲みつつ収容するとともに、ファン１の回転により発生した風を通すための空間である通風空間Ｓが内部に形成されたケースである。図２に示すように、ファンケース２は、ファン１を基準として回転軸方向ＰＤにおける一方側に位置する一方壁部２ａと、ファン１を基準として回転軸方向ＰＤにおける他方側に位置する他方壁部２ｂとを有している。また、ファンケース２は、遠心方向ＣＤにおけるファン１の外側の領域に位置する側壁部２ｃを有している。一方壁部２ａ、他方壁部２ｂ、および側壁部２ｃは、ファン１を囲むようにファン１を収容している。そして、本実施形態に係る遠心式送風機１００では、一方壁部２ａ、他方壁部２ｂ、および側壁部２ｃによって囲まれた空間が、風を通すための空間である通風空間Ｓを形成している。
【００２４】
以下、図１における符号ＣＤ１の矢印の向きを第１向きＣＤ１と称し、図１における符号ＣＤ２の矢印の向きを第２向きＣＤ２と称し、図１における符号ＣＤ３の矢印の向きを第３向きＣＤ３と称し、図１における符号ＣＤ４の矢印の向きを第４向きＣＤ４と称する。
【００２５】
第１向きＣＤ１は、遠心方向ＣＤのうち所定方向の一方側の向きである。具体的には、第１向きＣＤ１は、回転軸Ｐに直交しながら回転軸Ｐから基本拡張空間の風流れ上流端に向かう向きである。基本拡張空間については後述する。
【００２６】
第２向きＣＤ２は、回転軸方向ＰＤおよび該所定方向に直交する方向のうち一方側の向きである。具体的には、第２向きＣＤ２は、回転軸Ｐに直交しながら回転軸Ｐから排出口２ｅの内部空間Ｓ１１に向かう向きである。第１向きＣＤ１は、回転軸Ｐに直交しながら第２向きＣＤ２に対して回転軸Ｐを中心としてファン１の逆回転側に９０°ずれた向きである。この第２向きＣＤ２は、基本所定向きに対応する。
【００２７】
第３向きＣＤ３は、第１向きＣＤ１とは反対側の向きである。第４向きＣＤ４は、第２向きＣＤ２とは反対側の向きである。第３向きＣＤ３は、回転軸Ｐに直交しながら第４向きＣＤ４に対して回転軸Ｐを中心としてファン１の逆回転側に９０°ずれた向きである。この第４向きＣＤ４は、追加所定向きに対応する。
【００２８】
第１向きＣＤ１、第２向きＣＤ２、第３向きＣＤ３、および第４向きＣＤ４は、ファン１の回転向きＲＤにおいて、第１向きＣＤ１、第２向きＣＤ２、第３向きＣＤ３、第４向きＣＤ４の順に位置している。
【００２９】
図２、図３に示すように、一方壁部２ａは、回転軸Ｐを基準として第１向きＣＤ１の側に位置する部分２ａａと、第２向きＣＤ２の側に位置する部分２ａｂと、第３向きＣＤ３の側に位置する部分２ａｃと、第４向きＣＤ４の側に位置する部分２ａｄとを有する。なお、以下において、部分２ａａを一方第１壁部２ａａと称し、部分２ａｂを一方第２壁部２ａｂと称し、部分２ａｃを一方第３壁部２ａｃと称し、部分２ａｄを一方第４壁部２ａｄと称する。
【００３０】
図２、図３に示すように、他方壁部２ｂは、回転軸Ｐを基準として第１向きＣＤ１の側に位置する部分２ｂａと、第２向きＣＤ２の側に位置する部分２ｂｂと、第３向きＣＤ３の側に位置する部分２ｂｃと、第４向きＣＤ４の側に位置する部分２ｂｄとを有する。なお、以下において、部分２ｂａを他方第１壁部２ｂａと称し、部分２ｂｂを他方第２壁部２ｂｂと称し、部分２ｂｃを他方第３壁部２ｂｃと称し、部分２ｂｄを他方第４壁部２ｂｄと称する。
【００３１】
図２に示すように、ファンケース２は、外部の空気を通風空間Ｓに導入するための導入口２ｄ、および、通風空間Ｓを通った風をファンケース２の外部に排出するための２個の排出口２ｅ、２ｆを有している。２個の排出口２ｅ、２ｆのうち一方（すなわち、第２向きＣＤ２の側の排出口）２ｅは、他方第２壁部２ｂｂの一部として形成されている。２個の排出口２ｅ、２ｆのうち他方（すなわち、第２向きＣＤ２の側の排出口）２ｆは、他方第４壁部２ｂｄの一部として形成されている。
【００３２】
すなわち、導入口２ｄの内部空間Ｓ１０は、外部の空気を通風空間Ｓに導入するための導入孔に相当する。また、排出口２ｅの内部空間Ｓ１１は、通風空間Ｓを通った風を外部に排出するための基本排出孔に相当する。また、排出口２ｆの内部空間Ｓ１２は、通風空間Ｓを通った風を外部に排出するための追加排出孔に相当する。
【００３３】
本実施形態では、通風空間Ｓ中のうち所定空間において、ファン１から出た後かつ排出口２ｅの内部空間Ｓ１１に流入する前の風が通る。この所定空間は、通風空間Ｓ中のうち、排出口２ｅの内部空間Ｓ１１に対して回転軸Ｐを中心としてファン１の逆回転側にずれた位置の空間である。当該所定空間は、基本流入空間に相当する。以下、排出口２ｅの内部空間Ｓ１１に対して回転軸Ｐを中心としてファン１の逆回転側にずれた該所定空間を、基本流入空間と称する。
【００３４】
また、本実施形態では、通風空間Ｓ中のうち所定空間において、ファン１から出た後かつ排出口２ｆの内部空間Ｓ１２に流入する前の風が通る。この所定空間は、通風空間Ｓ中のうち、排出口２ｆの内部空間Ｓ１２に対して回転軸Ｐを中心としてファン１の逆回転側にずれた位置の空間である。当該所定空間は、追加流入空間に相当する。以下、排出口２ｆの内部空間Ｓ１２に対して回転軸Ｐを中心としてファン１の逆回転側にずれた当該所定空間を、追加流入空間と称する。
【００３５】
導入口２ｄは、回転軸方向ＰＤにおける上記一方側を風の上流側、回転軸方向ＰＤにおける上記他方側を風の下流側とするように、開口している。そして、２個の排出口２ｅ、２ｆは、それぞれ、回転軸方向ＰＤにおける上記一方側を風の上流側、回転軸方向ＰＤにおける他方側を風の下流側となるように開口している。すなわち、導入口２ｄの内部空間Ｓ１０は、一方壁部２ａによって形成されている。また、排出口２ｅの内部空間Ｓ１１は、他方壁部２ｂによって形成されている。また、排出口２ｆの内部空間Ｓ１２は、他方壁部２ｂによって形成されている。
【００３６】
このため、本遠心式送風機１００では、逆向きに（すなわち、上記他方側を風の上流側、上記一方側を風の下流側となるように）排出口が開口する場合に比べて、導入口２ｄから導入された風を少ない圧損で排出口２ｅ、２ｆから提供することができる。
【００３７】
なお、ファンケース２は、その材料が特に限定されるものではないが、ここでは樹脂で構成されている。
【００３８】
本実施形態では、図３、図４に示すように、一方第１壁部２ａａのうち遠心方向ＣＤにおけるファン１の外側に位置する外側部分には、通風空間Ｓの回転軸方向ＰＤにおける幅Ｗ１を拡張する拡張部２０が形成されている。すなわち、拡張部２０は、該外側部分によって囲まれる通風空間Ｓの幅Ｗ１を、該外側部分よりも回転軸Ｐの側に位置する内側部分によって囲まれる通風空間Ｓの幅Ｗ２よりも拡張するように形成されている。ここでいう幅Ｗ１、Ｗ２は、回転軸方向ＰＤにおける幅である。より具体的には、拡張部２０は、一方第１壁部２ａａのうち通風空間Ｓに接する平面２ｇａに形成された、回転軸方向ＰＤにおける上記一方側に凹む凹部２ｈを有し、該凹部２ｈの内部空間Ｓ１によって通風空間Ｓの幅Ｗ１を上記一方側に拡張している。該凹部２ｈの内部空間Ｓ１は、基本流入空間および基本拡張空間の一部である。なお、凹部２ｈは、その断面形状が四角形である。また、図１に示すように、拡張部２０の遠心方向ＣＤにおける最外縁ＯＥは、第１向きＣＤ１の側の側壁部２ｃａに直接接続されている。より具体的には、拡張部２０の遠心方向ＣＤにおける最外縁ＯＥは、その回転向きＲＤにおける手前側から先側に至る全体において、第１向きＣＤ１の側の側壁部２ｃａに直接接続されている。すなわち、本実施形態では、基本拡張空間における上流から下流までの全体が、第１向きＣＤ１の側の側壁部２ｃａに接している。また、拡張部２０は、回転向きＲＤにおける手前側から先側に至るまで幅Ｗ１が略一定となるように、形成されている。
【００３９】
また、本実施形態では、図３、図４に示すように、他方第１壁部２ｂａのうち遠心方向ＣＤにおけるファン１の外側に位置する外側部分には、回転軸方向ＰＤにおける通風空間Ｓの幅Ｗ１を拡張する拡張部２１が形成されている。すなわち、拡張部２１は、該外側部分によって囲まれる通風空間Ｓの幅Ｗ１を、該外側部分よりも回転軸Ｐの側に位置する内側部分によって囲まれる通風空間Ｓの幅Ｗ２よりも拡張するように形成されている。ここでいう幅Ｗ１、Ｗ２は、回転軸方向ＰＤにおける幅である。より具体的には、拡張部２１は、他方第１壁部２ｂａのうち通風空間Ｓに接する平面２ｇｂに形成された、回転軸方向ＰＤにおける上記他方側に凹む凹部２ｉを有し、該凹部２ｉの内部空間Ｓ２によって通風空間Ｓの幅Ｗ１を上記他方側に拡張している。該凹部２ｉの内部空間Ｓ２は、基本流入空間および基本拡張空間の一部である。なお、凹部２ｉは、その断面形状が四角形である。また、図１に示すように、拡張部２１の遠心方向ＣＤにおける最外縁ＯＥは、第１向きＣＤ１の側の側壁部２ｃａに直接接続されている。より具体的には、拡張部２１の遠心方向ＣＤにおける最外縁ＯＥは、その回転向きＲＤにおける手前側から先側に至る全体において、第１向きＣＤ１の側の側壁部２ｃａに直接接続されている。すなわち、本実施形態では、基本拡張空間における上流から下流までの全体が、第１向きＣＤ１の側の側壁部２ｃａに接している。また、本実施形態では、図３、図４に示すように、拡張部２０および拡張部２１は、遠心方向ＣＤにおいて互いに略同一の領域に配置されている。また、拡張部２１は、回転向きＲＤにおける手前側から先側に至るまで幅Ｗ１が略一定となるように、形成されている。
【００４０】
すなわち、本実施形態では、この拡張部２０、２１が形成されていることにより、該外側部分によって囲まれる通風空間Ｓの幅Ｗ１を、該外側部分よりも回転軸Ｐの側に位置する内側部分によって囲まれる通風空間Ｓの幅Ｗ２よりも拡張している。
【００４１】
凹部２ｈの内部空間Ｓ１と凹部２ｉの内部空間Ｓ２を含んで拡張された空間全体が、基本拡張空間である。内部空間Ｓ１と内部空間Ｓ２に挟まれた空間も基本拡張空間の一部である。
【００４２】
すなわち、本実施形態では、基本拡張空間における回転軸方向ＰＤに沿った一方壁部２ａから他方壁部２ｂまでの幅Ｗ１が、基本流入空間中の内側空間における回転軸方向ＰＤに沿った一方壁部２ａから他方壁部２ｂまでの幅Ｗ２よりも広くなっている。この内側空間は、基本流入空間中で凹部２ｈの内部空間Ｓ１よりも回転軸Ｐの側に位置する空間である。尚、幅Ｗ１は第１幅に相当し、幅Ｗ２は第２幅に相当する。
【００４３】
そして、本実施形態に係る遠心式送風機１００では、まず、ファン１からファン１の遠心方向ＣＤのうち第１向きＣＤ１の側の側壁部２ｃａに向かって流れ出た風が、第１向きＣＤ１の側の側壁部２ｃａに沿って第２向きＣＤ２の側の側壁部２ｃｂの側へ流れる。以下、この風の流れを主流１と称する。
【００４４】
また、ファン１からファン１の遠心方向ＣＤのうち第２向きＣＤ２の側の側壁部２ｃｂに向かって流れ出た風が、第２向きＣＤ２の側の側壁部２ｃｂに沿って第３向きＣＤ３の側の側壁部２ｃｃの側へ流れる。以下、この風の流れを主流２と称する。
【００４５】
そして、第２向きＣＤ２の側の排出口２ｅには、大きくはこの主流１と主流２が流れ込み、主流１および主流２は、この排出口２ｅからファンケース２の外部に吹き出される。      
【００４６】
第４向きＣＤ４の側の排出口２ｆについても同様である。すなわち、ファン１からファン１の遠心方向ＣＤのうち第３向きＣＤ３の側の側壁部２ｃｃに向かって流れ出た風が、第３向きＣＤ３の側の側壁部２ｃｃに沿って第４向きＣＤ４の側の側壁部２ｃｄの側へ流れる。以下、この風の流れを主流３と称する。
【００４７】
また、ファン１からファン１の遠心方向ＣＤのうち第４向きＣＤ４の側の側壁部２ｃｄの側に向かって流れ出た風が、第４向きＣＤ４の側の側壁部２ｃｄに沿って第１向きＣＤ１の側の側壁部２ｃａの側へ流れる。以下、この風の流れを主流４と称する。
【００４８】
そして、第４向きＣＤ４の側の排出口２ｆには、大きくはこの主流３と主流４が流れ込み、主流３および主流４は、この排出口２ｆからファンケース２の外部に吹き出される。
【００４９】
ここで、拡張部２０、２１が形成されていることによる作用および効果について、図６を用いて、拡張部２０、２１が形成されていない場合と比較しつつ、説明する。拡張部２０、２１が形成されていない場合は、一方壁部２ａと他方壁部２ｂとの間の幅が均一である。なお、図６は、図１と同様の視点で遠心式送風機１００を示す図であり、図中の実線で表されている矢印は、風の流れを模式的に示している。
【００５０】
まず、拡張部２０、２１が形成されていない場合について、説明する。具体的には、この場合における遠心式送風機１００は、ファンケース２の一方壁部２ａのうち通風空間Ｓに面する面および他方壁部２ｂのうち通風空間Ｓに面する面の各々が平面とされている。また、この遠心式送風機１００は、ファン１を基準として第１向きＣＤ１の側および第３向きＣＤ３の側には排出口２ｅ、２ｆが備えられずに他方壁部２ｂの一部である平面が配置されている。また、この遠心式送風機１００は、一方壁部２ａの平面と他方壁部２ｂの平面との間の距離（すなわち、通風空間Ｓの幅）が全体的に均一である。
【００５１】
しかしながら、本願発明者の検討の結果、この構成とした場合には特許文献１の遠心式送風機のように均一な風速または均一な風量の風を提供することは困難であることが明らかとなった。すなわち、この構成の場合、ファン１の遠心方向ＣＤに吹き出され通風空間Ｓを通って排出口２ｅ、２ｆに至る風の風速が、ファン１の回転方向において不均一となった。
【００５２】
具体的には、以下の知見が得られた。すなわち、主流１は、ファン１と第１向きＣＤ１の側の側壁部２ｃａとの間の狭い空間を流れるために風速が比較的速く、第２向きＣＤ２の側の排出口２ｅのうち第１向きＣＤ１の側の側壁部２ｃａに近い側に流れ込む。これに対して、主流２は、ファン１と第２向きＣＤ２の側の側壁部２ｃｂとの間の広い空間を流れるために風速が比較的遅く、第２向きＣＤ２の側の排出口２ｅのうち第３向きＣＤ３の側の側壁部２ｃｃに近い側に流れ込む。すなわち、第２向きＣＤ２の側の排出口２ｅには、異なる空間に風速差の大きい主流１、主流２が流れ込む。このため、第２向きＣＤ２の側の排出口２ｅに流れ込む風の風速が不均一となり、この排出口２ｅから不均一な風速の風が被送風対象に送られる。また、同様の理由から、第４向きＣＤ４の側の排出口２ｆに流れ込む風の風速も不均一となり、この排出口２ｆから不均一な風速の風が被送風対象に送られる。
【００５３】
尚、第１、第３向きＣＤ１、ＣＤ３の両方について、ファン１と側壁部２ｃａ、２ｃｃとの間の距離を、第２、第４向きＣＤ２、ＣＤ４の側のファン１と側壁部２ｃｂ、２ｃｄとの間の距離よりも短くした場合も、排出口２ｅ、２ｆに流れ込む風の風速が不均一となった。
【００５４】
以上で説明したように、拡張部２０、２１が形成されていない場合の遠心式送風機１００では、第２向きＣＤ２の側の排出口２ｅには、異なる空間に風速差の大きい主流１、主流２が流れ込む。主流１は、ファン１からファン１の遠心方向ＣＤのうち第１向きＣＤ１の側の側壁部２ｃａに向かって流れ、第１向きＣＤ１の側の側壁部２ｃａに沿って第２向きＣＤ２の側の側壁部２ｃｂの側へ流れる風流れである。主流２は、ファン１からファン１の遠心方向ＣＤのうち第２向きＣＤ２の側の側壁部２ｃｂに向かって流れ、第２向きＣＤ２の側の側壁部２ｃｂに沿って第３向きＣＤ３の側の側壁部２ｃｃの側へ流れる風流れである。
【００５５】
これに対して、図６に示すように、本実施形態に係る遠心式送風機１００では、拡張部２０、２１が形成されていることで、主流１は、拡張部２０、２１によって広くなっている通風空間Ｓを通って、第２向きＣＤ２の側の排出口２ｅに流れ込む。つまり、本実施形態に係る遠心式送風機１００では、主流１は、広い通風空間Ｓを通ることで、通風空間Ｓの幅が全体的に均一の場合に比べて流速が遅くなり、流速の遅い状態で第２向きＣＤ２の側の排出口２ｅに流れ込む。よって、通風空間Ｓの幅が全体的に均一の場合に比べて、主流１と主流２との風速差が小さくなる。このため、本実施形態に係る遠心式送風機１００では、拡張部２０、２１が形成されていることで、第２向きＣＤ２の側の排出口２ｅに流れ込む風の風速および風量のばらつきを抑えることができる。このように、本実施形態に係る遠心式送風機１００では、ファンの遠心方向ＣＤである上記所定方向の側（すなわち、第１向きＣＤ１の側）に排出口を設けない構成においても、風速および風量のばらつきを抑えることができる。つまり、本実施形態に係る遠心式送風機１００では、該所定方向における体格を小さくしても、風速および風量のばらつきを抑えることができる。
【００５６】
同様に、本実施形態では、図３、図５に示すように、一方第３壁部２ａｃのうち遠心方向ＣＤにおけるファン１の外側に位置する外側部分には、通風空間Ｓの回転軸３ａの方向における幅Ｗ３を拡張する拡張部２２が形成されている。すなわち、拡張部２２は、該外側部分によって囲まれる通風空間Ｓの幅Ｗ３を、該外側部分よりも回転軸Ｐの側に位置する内側部分によって囲まれる通風空間Ｓの幅Ｗ４よりも拡張するように形成されている。ここでいう幅Ｗ３、Ｗ４は、回転軸方向ＰＤにおける幅である。より具体的には、拡張部２０は、一方第１壁部２ａａのうち通風空間Ｓに接する平面２ｊａに形成された、回転軸方向ＰＤにおける上記一方側に凹む凹部２ｋを有し、該凹部２ｋの内部空間Ｓ３によって通風空間Ｓの幅Ｗ３を上記一方側に拡張している。該凹部２ｋの内部空間Ｓ３は、追加流入空間および追加拡張空間の一部である。なお、凹部２ｋは、その断面形状が四角形である。また、図１に示すように、拡張部２２の遠心方向ＣＤにおける最外縁ＯＥは、第３向きＣＤ３の側の側壁部２ｃｃに直接接続されている。より具体的には、拡張部２２の遠心方向ＣＤにおける最外縁ＯＥは、その回転向きＲＤにおける手前側から先側に至る全体において、第３向きＣＤ３の側の側壁部２ｃｃに直接接続されている。また、拡張部２２は、回転向きＲＤにおける手前側から先側に至るまで幅Ｗ３が略一定となるように、形成されている。
【００５７】
また、本実施形態では、図３、図５に示すように、他方第３壁部２ｂｃのうち遠心方向ＣＤにおけるファン１の外側に位置する外側部分には、通風空間Ｓの回転軸方向ＰＤにおける幅Ｗ３を拡張する拡張部２３が形成されている。すなわち、拡張部２３は、該外側部分によって囲まれる通風空間Ｓの幅Ｗ３を、該外側部分よりも回転軸Ｐの側に位置する内側部分によって囲まれる通風空間Ｓの幅Ｗ４よりも拡張するように形成されている。ここでいう幅Ｗ３、Ｗ４は、回転軸方向ＰＤにおける幅である。より具体的には、拡張部２３は、一方第１壁部２ａａのうち通風空間Ｓに接する平面２ｊｂに形成された、回転軸方向ＰＤにおける上記他方側に凹む凹部２ｌを有し、該凹部２ｌの内部空間Ｓ４によって通風空間Ｓの幅Ｗ３を上記他方側に拡張している。該凹部２ｌの内部空間Ｓ４は、追加流入空間および追加拡張空間の一部である。なお、凹部２ｌは、その断面形状が四角形である。また、図１に示すように、拡張部２３の遠心方向ＣＤにおける最外縁ＯＥは、第３向きＣＤ３の側の側壁部２ｃｃに直接接続されている。より具体的には、拡張部２３の遠心方向ＣＤにおける最外縁ＯＥは、その回転向きＲＤにおける手前側から先側に至る全体において、第３向きＣＤ３の側の側壁部２ｃｃに直接接続されている。また、本実施形態では、図３、図５に示すように、拡張部２２および拡張部２３は、遠心方向ＣＤにおいて互いに略同一の領域に配置されている。また、拡張部２３は、回転向きＲＤにおける手前側から先側に至るまで幅Ｗ３が略一定となるように、形成されている。
【００５８】
すなわち、本実施形態では、この拡張部２２、２３が形成されていることにより、該外側部分によって囲まれる通風空間Ｓの幅Ｗ３を、該外側部分よりも回転軸Ｐの側に位置する内側部分によって囲まれる通風空間Ｓの幅Ｗ４よりも拡張している。
【００５９】
凹部２ｋの内部空間Ｓ３と凹部２ｌの内部空間Ｓ４を含んで拡張された空間全体が、追加拡張空間である。内部空間Ｓ３と内部空間Ｓ４に挟まれた空間も基本拡張空間の一部である。
【００６０】
すなわち、本実施形態では、追加拡張空間における回転軸方向ＰＤに沿った一方壁部２ａから他方壁部２ｂまでの幅Ｗ３が、追加流入空間中の内側空間における回転軸方向ＰＤに沿った一方壁部２ａから他方壁部２ｂまでの幅Ｗ４よりも広くなっている。この内側空間は、追加流入空間中で凹部２ｋの内部空間Ｓ３よりも回転軸Ｐの側に位置する空間である。尚、幅Ｗ３は第３幅に相当し、幅Ｗ４は第４幅に相当する。
【００６１】
このため、本実施形態に係る遠心式送風機１００では、拡張部２２、２３が形成されていることで、上記で説明した拡張部２０、２１の場合と同様に、第４向きＣＤ４の側の排出口２ｆに流れ込む風の風速および風量のばらつきを抑えることができる。
【００６２】
図１に示すように、拡張部２０は、点ＰＴ１から点ＰＴ２まで延びるように、連続的に形成されている。すなわち、基本拡張空間は、点ＰＴ１から点ＰＴ２まで延びるように、連続的に形成されている。拡張部２１は、点ＰＴ１から点ＰＴ３まで延びるように、連続的に形成されている。すなわち、基本拡張空間は、点ＰＴ１から点ＰＴ３まで延びるように、連続的に形成されている。点ＰＴ１は、第１向きＣＤ１に延びる所定直線（すなわち、矢印ＣＤ１で示されている直線）上の点である。点ＰＴ２、ＰＴ３は、該所定直線に平行で第２向きＣＤ２におけるファン１の最端点ＰＴ４を通る直線ＳＬ１上の点である。このように、拡張部２０、２１の各々は、少なくとも、点ＰＴ１から、該所定直線に平行で第２向きＣＤ２におけるファン１の最端点ＰＴ４を通る直線ＳＬ１上の点まで延びるように、連続的に形成されている。
【００６３】
このため、本遠心式送風機１００では、第１向きＣＤ１の側の側壁部２ｃａの付近を流れる風（すなわち、主流１）を、拡張部２０、２１の内部空間Ｓ１、Ｓ２に通すことで、風速の比較的遅い風として確実に第２向きＣＤ２の側の排出口２ｅにまで流すことができる。
【００６４】
同様に、図１に示すように、拡張部２２は、点ＰＴ５から点ＰＴ６まで延びるように、連続的に形成されている。すなわち、追加拡張空間は、点ＰＴ５から点ＰＴ６まで延びるように、連続的に形成されている。拡張部２３は、点ＰＴ５から点ＰＴ７まで延びるように、連続的に形成されている。すなわち、追加拡張空間は、点ＰＴ５から点ＰＴ７まで延びるように、連続的に形成されている。点ＰＴ５は、第３向きＣＤ３に延びる所定直線（すなわち、矢印ＣＤ３で示されている直線）上の点である。点ＰＴ６、ＰＴ７は、該所定直線に平行で第４向きＣＤ４におけるファンの最端点ＰＴ８を通る直線ＳＬ２上の点である。このように、拡張部２２、２３の各々は、少なくとも、点ＰＴ５から、該所定直線に平行で第４向きＣＤ４におけるファンの最端点ＰＴ８を通る直線ＳＬ２上の点まで延びるように、連続的に形成されている。
【００６５】
このため、本遠心式送風機１００では、第３向きＣＤ３の側の側壁部２ｃｃの付近を流れる風（すなわち、主流１）を、拡張部２２、２３の内部空間Ｓ３、Ｓ４に通すことで、風速の比較的遅い風として確実に第４向きＣＤ４の側の排出口２ｆにまで流すことができる。
【００６６】
本実施形態では、図３、図４に示すように、拡張部２０、２１は、外側部分によって囲まれる通風空間Ｓの幅Ｗ１を、内側部分によって囲まれる通風空間Ｓの幅Ｗ２の１．５倍以上かつ２倍以下（例えば２倍）に拡張するように、形成されている。すなわち、拡張部２０、２１は、外側部分によって囲まれる通風空間Ｓの幅Ｗ１を、内側部分によって囲まれる通風空間Ｓの幅Ｗ２の１．５倍以上に拡張するように、形成されている。
【００６７】
このため、本実施形態に係る遠心式送風機１００では、拡張部２０、２１の内部空間Ｓ１、Ｓ２が十分広くされることで風を十分に遅くすることができ、上記したような風速の均一化を十分に図ることができる。
【００６８】
同様に、図３、図５に示すように、拡張部２２、２３は、外側部分によって囲まれる通風空間Ｓの幅Ｗ３を、内側部分によって囲まれる通風空間Ｓの幅Ｗ４の１．５倍以上かつ２倍以下（例えば２倍）に拡張するように、形成されている。すなわち、拡張部２２、２３は、外側部分によって囲まれる通風空間Ｓの幅Ｗ３を、内側部分によって囲まれる通風空間Ｓの幅Ｗ４の１．５倍以上に拡張するように、形成されている。
【００６９】
このため、本実施形態に係る遠心式送風機１００では、拡張部２２、２３の内部空間Ｓ３、Ｓ４が十分広くされることで風を十分に遅くすることができ、上記したような風速の均一化を十分に図ることができる。
【００７０】
図１に示すように、本実施形態に係る遠心式送風機１００では、ファン１の遠心方向ＣＤにおいて、ファン１と第１向きＣＤ１の側の側壁部２ｃａとの距離ＤＴ１が、ファン１と第２向きＣＤ２の側の側壁部２ｃｂとの距離ＤＴ２よりも短くなっている。すなわち、本実施形態では、第２向きＣＤ２における回転軸Ｐから第２向きＣＤ２の側の側壁部２ｃｂまでの距離が、第１向きＣＤ１における回転軸Ｐから第１向きＣＤ１における回転軸Ｐから第１向きＣＤ１の側の側壁部２ｃａまでの距離よりも、短くなっている。
【００７１】
このように、本実施形態に係る遠心式送風機１００では、ファンケース２の所定方向の体格（すなわち、第１向きＣＤ１の体格）を小さくすることでファンケース２を小型化できるとともに、上記のように風速の均一化を図ることができる。
【００７２】
同様に、本実施形態に係る遠心式送風機１００では、ファン１の遠心方向ＣＤにおいて、ファン１と第３向きＣＤ３の側の側壁部２ｃｃとの距離ＤＴ３が、ファン１と第４向きＣＤ４の側の側壁部２ｃｄとの距離ＤＴ４よりも短くなっている。すなわち、本実施形態では、第４向きＣＤ４における回転軸Ｐから第４向きＣＤ４の側の側壁部２ｃｄまでの距離が、第３向きＣＤ３における回転軸Ｐから第３向きＣＤ３における回転軸Ｐから第３向きＣＤ３の側の側壁部２ｃｃまでの距離よりも、短くなっている。
【００７３】
このように、本実施形態に係る遠心式送風機１００では、ファンケース２の所定方向の体格（すなわち、第３向きＣＤ３の体格）を小さくすることでファンケース２を小型化できるとともに、上記のように風速の均一化を図ることができる
なお、図１に示すように、遠心式送風機１００には、ファンケース２における巻き始め側と巻き終わり側とが重なる部分である円弧状の部分であるノーズ部２ｍ、２ｎが、形成されている。ノーズ部２ｍは、第１向きＣＤ１の側の側壁部２ｃａに形成されている。ノーズ部２ｍは、ファンケース２のうち第１、第２向きＣＤ１、ＣＤ２の側を流れる風（すなわち、主流１、２など）が通る通風空間Ｓを形成する部分における巻き始め側（すなわち、風流れの最上流側）であり、ファンケース２のうち第３、第４向きＣＤ３、ＣＤ４の側を流れる風（すなわち、主流３、４など）が通る通風空間Ｓを形成する部分における巻き終わり側（すなわち、風流れの最下流側）である。また、ノーズ部２ｎは、第３向きＣＤ３の側の側壁部２ｃｃに形成されている。ノーズ部２ｎは、ファンケース２のうち第３、第４向きＣＤ３、ＣＤ４の側を流れる風（すなわち、主流３、４など）が通る通風空間Ｓを形成する部分における巻き始め側（すなわち、風流れの最上流側）であり、ファンケース２のうち第１、第２向きＣＤ１、ＣＤ２の側を流れる風（すなわち、主流１、２など）が通る通風空間Ｓを形成する部分における巻き終わり側（すなわち、風流れの最下流側）である。
【００７４】
電動モータ３は、不図示の操作パネルで設定された風量に応じた通電量が給電されたときに該通電量に応じた回転数で回転軸３ａを回転させることでファン１を回転させるモータである。
【００７５】
上記したように、本実施形態に係る遠心式送風機１００は、他方第１壁部２ｂａの上記外側部分には、該外側部分によって囲まれる通風空間Ｓの幅Ｗ１を、内側部分によって囲まれる通風空間Ｓの幅Ｗ２よりも拡張する、拡張部２０、２１が形成されている。すなわち、本実施形態では、基本拡張空間における回転軸方向ＰＤに沿った一方壁部２ａから他方壁部２ｂまでの幅Ｗ１が、基本流入空間中の内側空間における回転軸方向ＰＤに沿った一方壁部２ａから他方壁部２ｂまでの幅Ｗ２よりも広くなっている。この内側空間は、基本流入空間中で凹部２ｈの内部空間Ｓ１よりも回転軸Ｐの側に位置する空間である。
【００７６】
このため、本実施形態に係る遠心式送風機１００では、拡張部２０、２１が形成されていることで、主流１は、拡張部２０、２１によって広くなっている通風空間Ｓを通って、第２向きＣＤ２の側の排出口２ｅに流れ込む。つまり、主流１は、広い通風空間Ｓを通ることで、通風空間Ｓの幅が全体的に均一の場合に比べて流速が遅くなり、流速の遅い状態で第２向きＣＤ２の側の排出口２ｅに流れ込む。よって、通風空間Ｓの幅が全体的に均一の場合に比べて、主流１と主流２との風速差が小さくなる。このため、本実施形態に係る遠心式送風機１００では、拡張部２０、２１が形成されていることで、第２向きＣＤ２の側の排出口２ｅに流れ込む風の風速を均一とすることができる。このように、本実施形態に係る遠心式送風機１００では、ファンの遠心方向ＣＤである上記所定方向の側（すなわち、第１向きＣＤ１の側）に排出口を設けない構成においても、風速を均一とすることができる。つまり、本実施形態に係る遠心式送風機１００では、該所定方向における体格を小さくしても、風速を均一とすることができる。
【００７７】
同様に、本実施形態に係る遠心式送風機１００では、他方第３壁部２ｂｃの上記外側部分には、該外側部分によって囲まれる通風空間Ｓの幅Ｗ３を、内側部分によって囲まれる通風空間Ｓの幅Ｗ４よりも拡張する、拡張部２２、２３が形成されている。すなわち、本実施形態では、追加拡張空間における回転軸方向ＰＤに沿った一方壁部２ａから他方壁部２ｂまでの幅Ｗ３が、追加流入空間中の内側空間における回転軸方向ＰＤに沿った一方壁部２ａから他方壁部２ｂまでの幅Ｗ４よりも広くなっている。この内側空間は、追加流入空間中で凹部２ｋの内部空間Ｓ３よりも回転軸Ｐの側に位置する空間である。これにより、本実施形態に係る遠心式送風機１００では、拡張部２０、２１が形成されていることによる効果と同様に、風速を均一とすることができる。
【００７８】
また、本実施形態に係る遠心式送風機１００は、拡張部２０、２１が、少なくとも、点ＰＴ１から、上記所定直線に平行で第２向きＣＤ２におけるファンの最端点ＰＴ４を通る直線ＳＬ１上の点ＰＴ２、ＰＴ３まで延びるように、連続的に形成されている。すなわち、本実施形態に係る遠心式送風機１００では、基本拡張空間は、点ＰＴ１から点ＰＴ２、ＰＴ３まで延びるように、連続的に形成されている。
【００７９】
このため、本遠心式送風機１００では、第１向きＣＤ１の側の側壁部２ｃａの付近を流れる風（すなわち、主流１）を、拡張部２０、２１の内部空間Ｓ１に通すことで、風速の比較的遅い風として確実に第２向きＣＤ２の側の排出口２ｅにまで流すことができる。
【００８０】
同様に、本実施形態に係る遠心式送風機１００では、拡張部２２、２３が、少なくとも、点ＰＴ５から、上記所定直線に平行で第４向きＣＤ４におけるファンの最端点ＰＴ８を通る直線ＳＬ２上の点まで延びるように、連続的に形成されている。すなわち、本実施形態に係る遠心式送風機１００では、追加拡張空間は、点ＰＴ５から点ＰＴ６、ＰＴ７まで延びるように、連続的に形成されている。これにより、拡張部２０、２１の場合の効果と同様に、風速の比較的遅い風として確実に第４向きＣＤ４の側の排出口２ｆにまで流すことができる。
【００８１】
また、本実施形態に係る遠心式送風機１００は、導入口２ｄが、回転軸方向ＰＤにおける上記一方側を風の上流側、回転軸方向ＰＤにおける上記他方側を風の下流側とするように、開口している。そして、２個の排出口２ｅ、２ｆは、それぞれ、回転軸方向ＰＤにおける上記一方側を風の上流側、回転軸方向ＰＤにおける他方側を風の下流側となるように開口している。すなわち、本実施形態に係る遠心式送風機１００では、導入口２ｄの内部空間Ｓ１０は、一方壁部２ａに形成されている。また、排出口２ｅの内部空間Ｓ１１は、他方壁部２ｂに形成されている。また、排出口２ｆの内部空間Ｓ１２は、他方壁部２ｂに形成されている。
【００８２】
このため、本遠心式送風機１００では、逆向きに（すなわち、上記他方側を風の上流側、上記一方側を風の下流側となるように）排出口が開口する場合に比べて、導入口２ｄから導入された風を少ない圧損で排出口２ｅ、２ｆから提供することができる。
【００８３】
また、本実施形態に係る遠心式送風機１００は、拡張部２０、２１が、外側部分によって囲まれる通風空間Ｓの幅Ｗ１を、内側部分によって囲まれる通風空間Ｓの幅Ｗ２の１．５倍以上に拡張するように、形成されている。
【００８４】
このため、本実施形態に係る遠心式送風機１００では、拡張部２０、２１の内部空間Ｓ１、Ｓ２が十分広くされることで風を十分に遅くすることができ、上記したような風速の均一化を十分に図ることができる。
【００８５】
同様に、本実施形態に係る遠心式送風機１００は、拡張部２２、２３が、外側部分によって囲まれる通風空間Ｓの幅Ｗ３を、内側部分によって囲まれる通風空間Ｓの幅Ｗ４の１．５倍以上に拡張するように、形成されている。これにより、拡張部２０、２１の場合の効果と同様に、拡張部２２、２３の内部空間Ｓ３、Ｓ４が十分広くされることで風を十分に遅くすることができる。
【００８６】
また、本実施形態に係る遠心式送風機１００では、ファン１の遠心方向ＣＤにおいて、ファン１と第１向きＣＤ１の側の側壁部２ｃａとの距離ＤＴ１が、ファン１と第２向きＣＤ２の側の側壁部２ｃｂとの距離よりも短くなっている。すなわち、本実施形態では、第２向きＣＤ２における回転軸Ｐから第２向きＣＤ２の側の側壁部２ｃｂまでの距離が、第１向きＣＤ１における回転軸Ｐから第１向きＣＤ１における回転軸Ｐから第１向きＣＤ１の側の側壁部２ｃａまでの距離よりも、短くなっている。
【００８７】
このように、本実施形態に係る遠心式送風機１００では、ファンケース２の上記所定方向の体格（すなわち、第１向きＣＤ１の体格）を小さくすることでファンケース２を小型化できるとともに、上記のように風速の均一化を図ることができる。
【００８８】
同様に、本実施形態に係る遠心式送風機１００では、ファン１の遠心方向ＣＤにおいて、ファン１と第３向きＣＤ３の側の側壁部２ｃｃとの距離ＤＴ３が、ファン１と第４向きＣＤ４の側の側壁部２ｃｄとの距離ＤＴ４よりも短くなっている。すなわち、本実施形態では、第４向きＣＤ４における回転軸Ｐから第４向きＣＤ４の側の側壁部２ｃｄまでの距離が、第３向きＣＤ３における回転軸Ｐから第３向きＣＤ３における回転軸Ｐから第３向きＣＤ３の側の側壁部２ｃｃまでの距離よりも、短くなっている。これにより、拡張部２０、２１の場合の効果と同様に、ファンケース２の上記所定方向の体格（すなわち、第３向きＣＤ３の体格）を小さくすることでファンケース２を小型化できるとともに、上記のように風速の均一化を図ることができる。
【００８９】
（第２実施形態）
本開示の第２実施形態について図７〜図１１を参照して説明する。本実施形態は、第１実施形態における拡張部２０〜２３の配置を変更したものである。その他については基本的には第１実施形態と同様であるため、第１実施形態と同様である旨を特に明示する場合を除いて第１実施形態と異なる部分のみについて説明する。なお、図７は、第１実施形態における図１に対応する図である。また、図７、図１１において、符号２０が付された破線は、拡張部２０の外縁を示している。また、図７、図１１において、符号２１が付された破線は、拡張部２１の外縁を示している。また、図７、図１１において、符号２２が付された破線は、拡張部２２の外縁を示している。また、図７、図１１において、符号２３が付された破線は、拡張部２３の外縁を示している。また、図１１において、符号無しの実線で示されている矢印は、流れる風の向きを示している。
【００９０】
第１実施形態では、拡張部２０の遠心方向ＣＤにおける最外縁ＯＥが、その回転向きＲＤにおける手前側から先側に至る全体において、第１向きＣＤ１の側の側壁部２ｃａに直接接続されていた。これに対し、本実施形態では、拡張部２０のうち回転向きＲＤにおける先の側の部分の遠心方向ＣＤにおける最外縁ＯＥは、第１向きＣＤ１の側の側壁部２ｃａよりも第３向きＣＤ３の側に離されて位置している。なお、拡張部２０のうち回転向きＲＤにおける手前側の部分の遠心方向ＣＤにおける最外縁ＯＥは、第１向きＣＤ１の側の側壁部２ｃａに直接接続されている。
【００９１】
また、第１実施形態では、拡張部２１の遠心方向ＣＤにおける最外縁ＯＥが、その回転向きＲＤにおける手前側から先側に至る全体において、第１向きＣＤ１の側の側壁部２ｃａに直接接続されている。これに対し、本実施形態では、拡張部２１のうち回転向きＲＤにおける先の側の部分の遠心方向ＣＤにおける最外縁ＯＥは、第１向きＣＤ１の側の側壁部２ｃａよりも第３向きＣＤ３の側に離されて位置している。なお、拡張部２１のうち回転向きＲＤにおける手前側の部分の遠心方向ＣＤにおける最外縁ＯＥは、第１向きＣＤ１の側の側壁部２ｃａに直接接続されている。
【００９２】
すなわち、本実施形態では、基本拡張空間における所定の上流部分は、第１向きＣＤ１の側の側壁部２ｃａに接し、基本拡張空間における下流部分は、第１向きＣＤ１の側の側壁部２ｃａから、回転軸３ａ側に離れている。この下流部分は、基本拡張空間における当該上流部分よりも風流れ下流側の部分である。
【００９３】
第１実施形態では、拡張部２２の遠心方向ＣＤにおける最外縁ＯＥが、その回転向きＲＤにおける手前側から先側に至る全体において、第３向きＣＤ３の側の側壁部２ｃｃに直接接続されていた。これに対し、本実施形態では、拡張部２２のうち回転向きＲＤにおける先の側の部分の遠心方向ＣＤにおける最外縁ＯＥは、第３向きＣＤ３の側の側壁部２ｃｃよりも第１向きＣＤ１の側に離されて位置している。なお、拡張部２２のうち回転向きＲＤにおける手前側の部分の遠心方向ＣＤにおける最外縁ＯＥは、第３向きＣＤ３の側の側壁部２ｃｃに直接接続されている。
【００９４】
第１実施形態では、拡張部２３の遠心方向ＣＤにおける最外縁ＯＥが、その回転向きＲＤにおける手前側から先側に至る全体において、第３向きＣＤ３の側の側壁部２ｃｃに直接接続されていた。これに対し、本実施形態では、拡張部２３のうち回転向きＲＤにおける先の側の部分の遠心方向ＣＤにおける最外縁ＯＥは、第３向きＣＤ３の側の側壁部２ｃｃよりも第１向きＣＤ１の側に離されて位置している。なお、拡張部２３のうち回転向きＲＤにおける手前側の部分の遠心方向ＣＤにおける最外縁ＯＥは、第３向きＣＤ３の側の側壁部２ｃｃに直接接続されている。
【００９５】
すなわち、本実施形態では、追加拡張空間における所定の上流部分は、第３向きＣＤ３の側の側壁部２ｃｃに接し、追加拡張空間における下流部分は、第３向きＣＤ３の側の側壁部２ｃｃから、回転軸３ａ側に離れている。この下流部分は、追加拡張空間における当該上流部分よりも風流れ下流側の部分である。
【００９６】
ここで、発明者の検討によると、図１１に示す領域Ａにおいては、主流１と主流２との境界となることから、主流１や主流２の基本的な風速に比べて風速の遅い風が流れることが明らかとなった。この領域Ａは、通風空間Ｓのうち、第１向きＣＤ１の側の側壁部２ｃａと第２向きＣＤ２の側の側壁部２ｃｂとの境界付近であって、第１向きＣＤ１の側の側壁部２ｃａから第３向きＣＤ３の側に離れた領域である。つまり、この種の遠心式送風機では、この領域Ａを通る風の風速が遅いことによって風の風速の不均一が発生する。
【００９７】
このような事情であるところ、本実施形態では、上記したように、拡張部２０のうち回転向きＲＤにおける手前側の部分の遠心方向ＣＤにおける最外縁ＯＥは、第１向きＣＤ１の側の側壁部２ｃａに直接接続されている。そして、拡張部２０のうち回転向きＲＤにおける先の側の部分の遠心方向ＣＤにおける最外縁ＯＥは、第１向きＣＤ１の側の側壁部２ｃａよりも第３向きＣＤ３の側に離されて位置している。
【００９８】
このため、本実施形態に係る遠心式送風機１００では、第１向きＣＤ１の側の側壁部２ｃａに沿って流れる風速の速い風は、拡張部２０の内部空間Ｓ１を流れ、風速の比較的遅い風として第２向きＣＤ２の側の排出口２ｅの側に流される。この風は、拡張部２０によって風速が遅くなるものの、もともと第１向きＣＤ１の側の側壁部２ｃａに沿って流れる風速の速い風（すなわち、主流２に比べて風速の速い風）である。そして、本実施形態に係る遠心式送風機１００では、この風速の速い風を、第１向きＣＤ１の側の側壁部２ｃａよりも第３向きＣＤ３の側に離されて位置する上記領域Ａに通すことで、該領域Ａの風速を速くすることができる。これにより、第２向きＣＤ２の側の排出口２ｅに流れ込む風の風速をより均一とすることができる。
【００９９】
また、本実施形態では、上記したように、拡張部２１のうち回転向きＲＤにおける手前側の部分の遠心方向ＣＤにおける最外縁ＯＥは、第１向きＣＤ１の側の側壁部２ｃａに直接接続されている。そして、拡張部２１のうち回転向きＲＤにおける先の側の部分の遠心方向ＣＤにおける最外縁ＯＥは、第１向きＣＤ１の側の側壁部２ｃａよりも第３向きＣＤ３の側に離されて位置している。
【０１００】
このため、本実施形態に係る遠心式送風機１００では、上記した拡張部２０の場合と同様の理由から、領域Ａの風速を速くすることができ、これにより、第２向きＣＤ２の側の排出口２ｅに流れ込む風の風速をより均一とすることができる。
【０１０１】
また、本実施形態では、上記したように、拡張部２２のうち回転向きＲＤにおける手前側の部分の遠心方向ＣＤにおける最外縁ＯＥは、第３向きＣＤ３の側の側壁部２ｃｃに直接接続されている。そして、拡張部２２のうち回転向きＲＤにおける先の側の部分の遠心方向ＣＤにおける最外縁ＯＥは、第３向きＣＤ３の側の側壁部２ｃｃよりも第１向きＣＤ１の側に離されて位置している。
【０１０２】
このため、本実施形態に係る遠心式送風機１００では、上記した拡張部２０の場合と同様の理由から、第４向きＣＤ４の側の排出口２ｆに流れ込む風の風速をより均一とすることができる。
【０１０３】
また、本実施形態では、上記したように、拡張部２３のうち回転向きＲＤにおける手前側の部分の遠心方向ＣＤにおける最外縁ＯＥは、第３向きＣＤ３の側の側壁部２ｃｃに直接接続されている。そして、拡張部２３のうち回転向きＲＤにおける先の側の部分の遠心方向ＣＤにおける最外縁ＯＥは、第３向きＣＤ３の側の側壁部２ｃｃよりも第１向きＣＤ１の側に離されて位置している。
【０１０４】
このため、本実施形態に係る遠心式送風機１００では、上記した拡張部２０の場合と同様の理由から、第４向きＣＤ４の側の排出口２ｆに流れ込む風の風速をより均一とすることができる。
【０１０５】
（他の実施形態）
本開示は上記した実施形態に限定されるものではなく、特許請求の範囲に記載した範囲内において適宜変更が可能である。
【０１０６】
例えば、第１、第２実施形態では、拡張部２０および拡張部２１は、遠心方向ＣＤにおいて互いに略同一の領域に配置されていた。また、拡張部２２および拡張部２３は、遠心方向ＣＤにおいて互いに略同一の領域に配置されていた。そこで、第１実施形態において、図１２に示すように、拡張部２０および拡張部２１を、遠心方向ＣＤにおいて互いに異なる領域に配置しても良い。同様に、第１実施形態において、拡張部２２および拡張部２３を、遠心方向ＣＤにおいて互いに異なる領域に配置しても良い。
【０１０７】
また、上記実施形態において、拡張部２０および拡張部２１のうち一方を省略（すなわち、凹部を削除して平面とする）しても良い。なお、図１３では、第２実施形態において拡張部２１を省略（すなわち、凹部２ｉを削除して平面とする）した例を示してある。また、同様に、上記実施形態において、拡張部２２および拡張部２３のうち一方を省略（すなわち、凹部を削除して平面とする）しても良い。
【０１０８】
また、第１、第２実施形態では、拡張部２０、２１は、回転向きＲＤにおける手前側から先側に至るまで幅Ｗ１が略一定となるように、形成されていた。上記実施形態において、拡張部２０、２１は、幅Ｗ１が略一定でないように、形成されていても良い。同様に、上記実施形態において、拡張部２２、２３は、幅Ｗ３が略一定でないように、形成されていても良い。なお、図１４では、第２実施形態において、回転向きＲＤにおける手前側から先側に向かうにつれて幅Ｗ１が狭まるように、拡張部２０が形成されている例を示してある。
【０１０９】
また、第１、第２実施形態では、凹部２ｈ〜２ｋの断面形状が四角形であったが、凹部２ｈ〜２ｋの断面形状はこれに限られるものでは無い。すなわち、例えば、上記実施形態において、図１５に示すように、凹部２ｈ〜２ｋの断面形状を、円弧形としても良い。また、上記実施形態において、図１６に示すように、凹部２ｈ〜２ｋの断面形状を、三角形としても良い。
【０１１０】
また、上記実施形態において、２個の排出口２ｅ、２ｆのうち一方が廃されていても良い。
【０１１１】
上記実施形態では、排出口２ｅが、他方第２壁部２ｂｂの一部として形成されていた。しかしながら、上記実施形態において、排出口２ｅは、一方第２壁部２ａｂの一部として形成されていても良く、一方第２壁部２ａｂおよび他方第２壁部２ｂｂの一部として形成されていても良い。また、上記実施形態では、排出口２ｆが、第４壁部２ｂｄの一部として形成されていた。しかしながら、同様に、一方第４壁部２ａｄの一部として形成されていても良く、一方第４壁部２ａｄおよび他方第４壁部２ｂｄの一部として形成されていても良い。
（まとめ）
上記各実施形態の一部または全部で示された第１の観点では、遠心式送風機において、基本流入空間中の所定の基本拡張空間における回転軸の方向に沿った一方壁部から他方壁部までの第１幅が、基本流入空間中で基本拡張空間よりも回転軸の側に位置する内側空間における回転軸の方向に沿った一方壁部から他方壁部までの第２幅よりも広い。
【０１１２】
第２の観点では、第１の観点における遠心式送風機において、さらに、回転軸に直交しながら回転軸から基本拡張空間の風流れ上流端に向かう第１向きと、回転軸に直交しながら回転軸から基本排出孔に向かう第２向きとが、直交している。また、基本拡張空間は、少なくとも、第１向きに延びる所定直線上の点から、所定直線に平行で第２向きにおけるファンの最端点を通る直線上の点まで延びるように、連続的に形成されている。
【０１１３】
この第２の観点によれば、第１向きの側の側壁部の付近を流れる風を、風速の比較的遅い風として確実に第２向きの側の排出口にまで流すことができる。
【０１１４】
第３の観点では、第１または第２の観点における遠心式送風機において、さらに、基本拡張空間における所定の上流部分は、側壁部に接し、基本拡張空間における上流部分よりも風流れ下流側の下流部分は、側壁部から離れている。
【０１１５】
この第３の観点によれば、排出口に流れ込む風の風速をより均一とすることができる。尚、この詳細は上記第２実施形態の説明に記載してある。
【０１１６】
第４の観点では、導入孔は一方壁部に形成され、基本排出口は他方壁部に形成されている。
【０１１７】
この第４の観点によれば、導入口から導入された風を少ない圧損で排出口から提供することができる。
【０１１８】
第５の観点では、第１ないし第４のいずれか１つの観点における遠心式送風機において、さらに、第１幅が第２幅の１．５倍以上である
この第５の観点によれば、風を十分に遅くすることができ、風速の均一化を十分に図ることができる。
【０１１９】
第６の観点では、第１ないし第５のいずれか１つの観点における遠心式送風機において、さらに、回転軸に直交しながら回転軸から基本排出孔に向かう基本所定向きにおける回転軸から側壁部までの距離は、回転軸に直交しながら基本所定向きに対して回転軸を中心としてファンの逆回転側に９０°ずれた向きにおける回転軸から側壁部までの距離よりも、短い。
【０１２０】
この第６の観点によれば、ファンケースの所定方向の体格を小さくすることでファンケースを小型化できるとともに、風速および風量のばらつきを抑えることができる。
【０１２１】
第７の観点では、遠心式送風機において、追加流入空間中の所定の追加拡張空間における回転軸の方向に沿った一方壁部から他方壁部までの第３幅が、追加流入空間中で追加拡張空間よりも回転軸の側に位置する内側空間における回転軸の方向に沿った一方壁部から他方壁部までの第４幅よりも広い。
【０１２２】
この第７観点によれば、ファンの遠心方向である所定方向の側に排出口を設けない構成においても、風速を均一とすることができる。つまり、この遠心送風機では、該所定方向における体格を小さくしても、風速を均一とすることができる。
【０１２３】
第８の観点では、第７の観点における遠心式送風機において、さらに、回転軸に直交しながら回転軸から基本拡張空間の風流れ上流端に向かう第３向きと、回転軸に直交しながら回転軸から追加排出孔に向かう第４向きとが、直交している。また、追加拡張空間は、少なくとも、第３向きに延びる所定直線上の点から、所定直線に平行で第４向きにおけるファンの最端点を通る直線上の点まで延びるように、連続的に形成されている。
【０１２４】
この第８の観点によれば、第３向きの側の側壁部の付近を流れる風を、風速の比較的遅い風として確実に第４向きの側の排出口にまで流すことができる。
【０１２５】
第９の観点では、第７または第８の観点における遠心式送風機において、さらに、追加拡張空間における所定の上流部分は、側壁部に接し、追加拡張空間における上流部分よりも風流れ下流側の下流部分は、側壁部から離れている。
【０１２６】
この第９の観点によれば、排出口に流れ込む風の風速をより均一とすることができる。尚、この詳細は上記第２実施形態の説明に記載してある。
【０１２７】
第１０の観点では、導入孔は一方壁部に形成され、追加排出口は他方壁部に形成されている。この第１０の観点によれば、導入口から導入された風を少ない圧損で排出口から提供することができる。
【０１２８】
第１１の観点では、第７ないし第１０のいずれか１つの観点における遠心式送風機において、さらに、第３幅が第４幅の１．５倍以上である
この第１１の観点によれば、風を十分に遅くすることができ、風速の均一化を十分に図ることができる。
【０１２９】
第１２の観点では、第７ないし第１１のいずれか１つの観点における遠心式送風機において、さらに、回転軸に直交しながら回転軸から追加排出孔に向かう追加所定向きにおける回転軸から側壁部までの距離は、回転軸に直交しながら追加所定向きに対して回転軸を中心としてファンの逆回転側に９０°ずれた向きにおける回転軸から側壁部までの距離よりも、短い。
【０１３０】
この第１２の観点によれば、ファンケースの所定方向の体格を小さくすることでファンケースを小型化できるとともに、風速の均一化を図ることができる。
【符号の説明】
【０１３１】
１      ファン
２      ファンケース
２ａ    一方壁部
２ｂ    他方壁部
２ｃ    側壁部
１００  遠心式送風機
Ｓ１０  導入孔
Ｓ１１  基本排出孔
Ｓ１２  追加排出孔
【図１】
2018040340.tif 000003
【図２】
2018040340.tif 000004
【図３】
2018040340.tif 000005
【図４】
2018040340.tif 000006
【図５】
2018040340.tif 000007
【図６】
2018040340.tif 000008
【図７】
2018040340.tif 000009
【図８】
2018040340.tif 000010
【図９】
2018040340.tif 000011
【図１０】
2018040340.tif 000012
【図１１】
2018040340.tif 000013
【図１２】
2018040340.tif 000014
【図１３】
2018040340.tif 000015
【図１４】
2018040340.tif 000016
【図１５】
2018040340.tif 000017
【図１６】
2018040340.tif 000018